(57)【要約】【課題】利用者が右利きか左利きかを問わず、すべての利用者に開口しやすいステイオンタブ式缶蓋を提供する。【解決手段】缶蓋１’にリベット５を介して固定されるタブ６’は、固定部１５の周囲を略コ字状に囲む切り込み１６を有し、左側の端部１６ａは右側の端部１６ｂに比べて下方に長く伸びている。タブ６’の押圧部１４’の裏面には突起１９が設けられる。タブ６’の把持部１３が引き上げられたときは、切り込みの端部１６ａと端部１６ｂとを結ぶ傾動軸１７を軸としてタブ６が傾動する。このタブ６’の動きに応じて、スコア４が破断される。このとき、突起１９が図中右側にオフセットされており、傾動軸１７も傾斜しているので、スコア４の破断位置には幅方向右側に力が加わるため、利用者が右利きか左利きかに係わらずスコア４の破断が円滑に行われる。一方、切り込み１６の端部の突出量の差は微差であるため、利用者に違和感を生じさせない。【選択図】  図４
2006315705.tif 000002
【特許請求の範囲】
【請求項１】
缶胴の開口部に取り付けられるパネルと、前記パネルの中央近傍に位置するリベットにより固定されその前方に位置して前記パネルを押圧する押圧部とその後方に位置して利用者に把持される把持部とを有するタブと、前記パネルに始端と終端とが間隔をなして位置し始端から前記リベット近傍を通過する第１破断部と前記第１破断部から連続して前記パネルの外周に向けて湾曲し前記終端に連続する第２破断部とを備えたスコアと、前記スコアによって包囲形成された破断開口部とを備え、前記タブの押圧部によって前記スコアを破断しつつ前記破断開口部をパネルの裏面方向に押し下げて破断開口部を開口すると共に開口することによって形成される破断開口片の一部がパネルに繋がった状態でパネルの裏面側に折り込まれるステイオンタブ式缶蓋において、
前記タブは、前記リベットより前方の押圧部が円弧状に形成され、前記リベットにより前記パネルに取り付けられる固定部と、前記固定部の側方及び後方を囲む切り込みとを有し、前記スコアの始端が位置する側の切り込みの先端部が他方の切り込みの先端部より前方に向けて突出すると共に、両先端部が前記リベットの前端部以上に前方に突出していることを特徴とするステイオンタブ式缶蓋。
【請求項２】
前記パネルの平面において、前記タブの前後方向を軸方向とし、前記軸方向に直交する方向を幅方向としたときに、
前記タブの押圧部の裏面に、前記リベット中心を通る軸方向の線を境に前記スコアの始端とは幅方向の反対側に位置する突起が設けられていることを特徴とする請求項１に記載のステイオンタブ式缶蓋。
【発明の詳細な説明】
【技術分野】
【０００１】
本発明は、ステイオンタブ式缶蓋の改良に関する。
【背景技術】
【０００２】
ステイオンタブ式缶蓋は、主に飲料缶の缶蓋に用いられており、パネル上にリベットを介して固着されたタブの後端部の把持部を持ち上げることによって破断開口部に沿って形成されたスコアを破断したとき、破断開口片の一部がパネルに繋がった状態でパネルの裏面側に折り込まれて開口される。この開口時の作動を詳しく説明すれば、まず、タブの把持部に指を掛けて引き上げたとき、初期段階では、タブ先端の押圧部が破断開口部上に当接して支点とされ、リベットに引き上げ方向の力が生じる。更にタブの把持部を引き上げたとき、リベット側に形成されたスコアに初期破断が生じ、連続的にスコアの破断が開始される。そして更に、連続してタブの把持部を引き上げたとき、前記初期破断の直後からは、リベットが支点とされて、タブ先端の押圧部が、破断開口片を押圧してスコアの破断が続けられる。その後、タブの押圧部がスコアに沿って破断された破断開口片を缶蓋の裏面側に押し下げ、開口作業が完了する。
【０００３】
ところで、この種の缶蓋を備えた飲料缶においては、従来より、スコアの開口時においてタブの把持部を持ち上げるための持ち上げ力を極力小さくできるよう種々工夫がなされている。開口時のタブの持ち上げ力を小さくするためには、第１にスコアの深さを深くすることが考えられる。しかしながら、スコアを深くすると、飲料缶が落下した際のスコアの開口を防止する落下強度や、内容物の圧力が上昇した際の不意なスコアの開口を防止する耐圧強度が低下してしまうため、スコアはさほど深くすることはできない。
【０００４】
また、このような飲料缶は主に右利きの利用者に利用されることに鑑み、右利きの人が開口しやすいようにスコアの方向を破断開口部に対して傾斜させた缶蓋が提案されている（下記特許文献１参照）。
【０００５】
しかしながら、飲料缶等の缶蓋に於いて、このように破断開口部に対してスコアの方向を傾斜させると、通常の缶蓋はほぼ左右対称の形状となっているため、利用者に違和感を与えるおそれがある。また、利用者は必ずしも右利きとは限らず、左利きの利用者も少なからずいることから、左利きの利用者にはかなり開口しづらいものとなってしまうという不都合がある。
【特許文献１】特許第２５４５２９５号公報
【発明の開示】
【発明が解決しようとする課題】
【０００６】
本発明は、ステイオンタブ式缶蓋の改良を目的とし、さらに詳しくは前記不都合を解消するために、利用者が右利きか左利きかを問わず、すべての利用者に開口しやすいステイオンタブ式缶蓋を提供することを目的とする。
【課題を解決するための手段】
【０００７】
前記目的を達成するために、本発明のステイオンタブ式缶蓋は、缶胴の開口部に取り付けられるパネルと、前記パネルの中央近傍に位置するリベットにより固定されその前方に位置して前記パネルを押圧する押圧部とその後方に位置して利用者に把持される把持部とを有するタブと、前記パネルに始端と終端とが間隔をなして位置し始端から前記リベット近傍を通過する第１破断部と前記第１破断部から連続して前記パネルの外周に向けて湾曲し前記終端に連続する第２破断部とを備えたスコアと、前記スコアによって包囲形成された破断開口部とを備え、前記タブの押圧部によって前記スコアを破断しつつ前記破断開口部をパネルの裏面方向に押し下げて破断開口部を開口すると共に開口することによって形成される破断開口片の一部がパネルに繋がった状態でパネルの裏面側に折り込まれるステイオンタブ式缶蓋において、前記タブは、前記リベットより前方の押圧部が円弧状に形成され、前記リベットにより前記パネルに取り付けられる固定部と、前記固定部の側方及び後方を囲む切り込みとを有し、前記スコアの始端が位置する側の切り込みの先端部が他方の切り込みの先端部より前方に向けて突出すると共に、両先端部が前記リベットの前端部以上に前方に突出していることを特徴とする。
【０００８】
前記タブを起立させたときは、前記固定部の両側にある切り込みの先端部を結ぶ線を軸として起立する。このため、前記スコアの始端が位置する側の切り込みの先端が他方の切り込みの先端よりも前方に突出しているときは、前記タブが起立する際の軸が傾斜する。このように前記タブが起立する際の軸が傾斜すると、前記把持部が引き上げられた際に前記押圧部において最も力が加わる点が前記スコアの始端と反対側、即ち前記第１破断部に連続する第２破断部側に移動する。このため、前記第１破断部が破断され、次いで前記第２破断部が破断される際には前記第２破断部が破断される方向に前記タブからの押圧力が作用するので、前記スコアの破断が円滑に行われる。
【０００９】
また、前記タブを前記パネルから９０゜以上傾動させた際には、前記タブが起立する際の軸が傾斜しているので、前記タブの押圧部が前記破断開口部の折り込まれる側に押し込まれる。また、前記タブの押圧部は円弧状に形成されているので、前記タブを起こす角度が大きくなるにつれて、前記パネルの表面に当接する前記タブの押圧部の当接位置が押圧部の中央から徐々に前記スコアの始端及び終端の方向に向けて移動していく。前記タブが起立する際の軸が傾斜していることにより、従来のタブに比べて前記パネルに当接する前記押圧部の当接位置がタブの傾動時の軸よりも離れた位置となるため、前記破断開口部に効率よくタブの力を及ぼすことができる。このため、前記スコアを終端部またはその近傍まで確実に破断することができる。このように、本発明のステイオンタブ式缶蓋によれば、利用者が右利きか左利きかを問わず、すべての利用者にとって開口しやすい缶蓋とすることができる。
【００１０】
また、本発明のステイオンタブ式缶蓋においては、前記タブの押圧部の裏面に、前記タブの軸方向中心線から前記スコアの始端とは反対側に位置する突起が設けられていることが好ましい。このように、前記タブの押圧部に前記突起が設けられているときは、前記第１破断部が破断され、次いで前記第２破断部が破断される際には前記第２破断部が破断される方向に前記タブからの押圧力が作用するので、前記スコアの破断が円滑に行われる。
【００１１】
さらに、前記突起が前記破断開口部の表面に当接している状態では、突起の設けられていない側の押圧部の裏面と前記破断開口部との表面には間隙が生じている。従って、前記スコアの第１破断部を破断する初期破断の際に前記把持部を持ち上げると、突起が設けられていない側の押圧部が前記間隙の分だけ移動して前記破断開口部に当接する。これにより、前記把持部が持ち上げられるので、スコアの初期破断が容易となる。
【発明を実施するための最良の形態】
【００１２】
次に、本発明のステイオンタブ式缶蓋の実施形態の一例について、図１乃至図６を参照して説明する。本実施形態の缶蓋１は、図１に示すように、飲料缶２の天蓋として使用されており、パネル３の表面にはスコア４が刻設され、リベット５を介してタブ６が取り付けられている。本実施形態においては、図１における上下方向、即ちタブの軸線方向を軸方向とし、左右方向、即ち軸方向と直交する方向を幅方向として説明する。
【００１３】
スコア４は、図２において、始端７と終端８とがパネル３の中心から左側に位置しており、始端７からリベット５の近傍を通って幅方向に延びる第１破断部９と、第１破断部９の終点から終端８まで湾曲して延びる第２破断部１０とを有している。また、第２破断部１０の略中央部分には、軸方向前方（図１において下方向）に向けて円弧状に突出する膨出部１１が設けられている。パネル３において、このスコア４によって囲まれる部分が破断開口部１２となり、スコア４がすべて破断された際には破断開口片となる。
【００１４】
図２における一点鎖線は、第１破断部９と第２破断部１０との境界線を示す。また、図２においては、スコア４は２重線となっているが、実際に破断されるのは２重線の外側の線のみであり、内側の線は外側の線を刻設する際に加工歪みを最小限に抑えると共に、外側の線が破断されやすいように設けられた補助スコアである。また、図２において膨出部１１の近傍に点線で表されているのは従来のスコアの形状である。また、パネル３の破断開口部１２を囲むスコア４がすべて破断されると、パネル３上に飲み口が形成されると共に、タブ６によりパネル３の裏面に折り込まれる破断開口片が形成される。
【００１５】
本実施形態の缶蓋１におけるタブ６は、図３に示すように、指をかけて上方に引き上げるための把持部１３と、破断開口部１２を押圧する円弧状の押圧部１４と、リベット５に固定される固定部１５と、この固定部１５の周囲を略コ字状に囲む切り込み１６とを有している。この切り込み１６の図３における左側の端部１６ａは、右側の端部１６ｂに比べて下方に長く伸びている。従って、タブ６の把持部１３が引き上げられたときは、この切り込みの端部１６ａと端部１６ｂとを結ぶ傾動軸１７を軸としてタブ６が傾動することになる。
【００１６】
本実施形態では、このようにタブ６の切り込みの端部１６ａと端部１６ｂとを結ぶ傾動軸１７を軸が幅方向に対して傾斜している。このため、図２に示すように、リベット５の中心を通る軸線方向を基準として、スコア４の始端７及び終端８が設けられている側とは反対側である右側に被押圧点１８がオフセットしている。この被押圧点１８とは、タブ６の把持部１３を引き上げた際に押圧部１４において最も力が加わる点である。
【００１７】
また、タブ６の切り込み１６の端部１６ａ，１６ｂの突出量の差Ｂは、本実施形態では１．０ｍｍに設定されている。また、本実施形態では、タブ６の長さＣは２４．２ｍｍ、タブ６の幅Ｄは１６．０ｍｍとしている（寸法はいずれも小数点第２位以下を四捨五入。以下、後述するタブ６’の押圧部１４’を除いて同じ。）。
【００１８】
この突出量の差Ｂは、本実施形態のタブ６の大きさであれば、０．２ｍｍから１．５ｍｍであることが好ましい。これは、リベット５の中心から被押圧点１８を基準寸法Ａとすると、その約２．６％から２０％程度となる。突出量の差Ｂがその下限値よりも小さいと、タブ６が起立された際の傾きが不十分となり、開口性を向上させる効果が十分得られない。逆に、突出量の差Ｂがその上限値よりも大きいと、タブ６が起立された際の傾きが強くなりすぎ、破断開口部１２に十分力を伝えられなくなるため、スコア４の開口不良を起こすおそれがある。
【００１９】
また、本実施形態では、パネル３に取り付けられる前のタブ６について、固定部１５の位置を従来のタブに比べてパネル３側に向けて深く沈ませている。従来のタブの固定部は、タブをパネルの表面に載置した際にある程度浮き上がるようにしており、リベットで固定することによりタブをパネル側に強く押し付けるようにしている。本実施形態においては、固定部１５の浮き上がり量を減らし、タブ６をパネル３に載置した際に固定部５がパネルの表面に当接するようにしている。そして、リベット５で固定部１５を固定した際に、タブ６の押圧部１４の裏面がパネル３の破断開口部１２の表面に当接するようにし、タブ６がパネル３に強く押し付けられないよう軽く当接するようにしている。
【００２０】
本実施形態の缶蓋１は、上述のように左右非対称となっているのはタブ６の切り込み１６の左右端部の突出量とスコア４の形状のみである。スコア４の形状は、左右対称の膨出部１１を除いて従来のスコアと変化はないため、実質的には非対称なのはタブ６の切り込み１６の左右端部の突出量のみとなる。しかしながら、この突出量も僅かなものに止まるため、従来の缶蓋との違和感は生じない。従って、上記特許文献１に開示されたタブと破断開口部とが傾斜している従来の缶蓋に比べて利用者に違和感を与えることがない。
【００２１】
次に、以上のように構成された缶蓋１の開口操作について説明する。飲料缶２内の飲料を飲む際には、まず利用者がタブ６の把持部１３に指をかけて上方に引き上げる。本実施形態においては、上述のようにタブ６の固定部１５のパネル３側への沈み量を調節することにより、タブ６がパネル３に軽く当接するように形成されているため、利用者は把持部１３を容易に上方に引き上げることができる。
【００２２】
タブ６の把持部１３の持ち上げによって、押圧部１４が破断開口部１２の表面に押圧されると、押圧部１４が支点となってリベット５が上方に押し上げられ、スコア４の第１破断部９が破断する。この状態からさらにタブ６の把持部１３を引き上げると、切り込み１６の左右端部１６ａ，１６ｂを結ぶ傾動軸１７を軸にしてタブ６が傾動される。このタブ６の動きに応じて、スコア４の第１破断部９から破断位置が第２破断部１０に移動していき、膨出部１１の右側端部まで到達する。このとき、被押圧点１８が図２において右側にオフセットされているので、スコア４の破断位置には図２においてリベット５の中心から幅方向右側に力が加わるため、スコア４の破断が円滑に行われる。
【００２３】
また、スコア４の破断位置が膨出部１１まで達すると、スコア４が破断される方向が変化するため、その変化時の抵抗によってスコア４の破断に制動力が作用する。これにより、従来のようにスコア４が一気に開口して内容物である飲料が外部に飛び散ることが防止される。
【００２４】
また、膨出部１１の右側端部に達した破断箇所は、タブ６のさらなる引き上げ動作により徐々に膨出部１１を進行し、最終的にスコア４の終端８に到達する。このとき、タブ６の固定部１５における傾動軸１７が傾斜しているため、タブ６の角度が側面視で９０゜を越えて傾動された場合に、破断開口部１２の折れ曲がり方向に向かってタブ６の押圧部１４が押し込まれる。また、また、タブ６が起立する際の傾動軸１７が傾斜していることにより、タブ６を起こす角度が同一の場合、従来のタブに比べて破断開口部１２に当接する押圧部１４の当接位置が中央側（図３における押圧部１４の下端部側）に近くなる。
【００２５】
このように、従来のタブに比べて、タブを起こす角度が同一であっても押圧部１４の当接位置が傾動軸１７から離れた位置となるため、押圧部１４によって破断開口部１２をより奥まで押し付けることができる。従って、タブ６によってスコア４を終端８またはその近傍まで確実に破断することができる。これにより、破断開口部１２の周囲のスコア４がすべて破断されると共に、スコア４の破断により形成される破断開口片がパネル３の裏面に折り込まれる。
【００２６】
その後、従来のタブと同様にタブ６の把持部１３をパネル３の表面側に戻して開口操作が終了する。このように、本実施形態の缶蓋１によれば、利用者が右利きか左利きかに係わらずスコア４の破断が円滑に行われる。
【００２７】
そして、スコア４がすべて破断され、破断開口部１２が破断開口片となってパネル３の裏面側に折返されたときは、飲み口の下端部に膨出部１１が切り取られることによって生じた凹部が形成されるので、飲料をコップ等に注ぐ場合には、この凹部を中心に飲料が注ぎ出される。従って、飲み口から注ぎ出される飲料の幅は従来のスコアにより切り取られた飲み口の場合に比べて広がりが少なくなる。また、利用者が飲料を直接飲む場合でも、注ぎ出される飲料が幅方向に広がりすぎないので、快適に飲料を飲むことができる。さらに、飲み口において膨出部１１が切り取られることによって生じた凹部から飲料が注ぎ出されるので、液切れがよくなると共に液溜まりが非常に少なくなる。
【００２８】
次に、本発明のステイオンタブ式缶蓋の変形例について図４乃至図６を参照して説明する。図４は本変形例の缶蓋１’が取り付けられた飲料缶２’の平面図である。図５は、本変形例の缶蓋１’に使用されるタブ６’を裏面から見た斜視図である。本変形例の缶蓋１’では、タブ６’の押圧部１４’の形状が上記実施形態と異なっている。具体的には、図４及び図５に示すように、タブ６’の押圧部１４’の裏面に、破断開口部１２の表面に向けて突出する突起１９が設けられている。このタブ６’は、従来と同様にアルミ板をプレス加工することにより形成しており、そのプレス加工の際に押圧部１４’の一部が突起１９として突出するように形成したものである。
【００２９】
本実施形態では、突起１９を含めた押圧部１４’の厚さを１．６０ｍｍに形成し、突起１９を有していない部分の押圧部１４’の厚さを１．３５ｍｍにしている。従って、突起１９自体の突出量は０．２５ｍｍとなる。
【００３０】
このように、本変形例の缶蓋１’はタブ６’の押圧部１４’に突起１９が設けられているので、パネル３に取り付けられたときは、図６に示すように、突起１９が破断開口部１２の表面に当接し、突起が設けられていない押圧部１４’の裏面と破断開口部１２との間には間隙２０が生じている。尚、その他の構成は、上記実施形態と同様であるので詳細な説明は省略する。
【００３１】
次に以上のように構成された缶蓋１’の開口操作について説明する。まず、タブ６’の把持部１３に指をかけて上方に引き上げる。本変形例においては、図６において左側のタブ６’の押圧部１４’の裏面と破断開口部１２との間には間隙２０があるため、押圧部１４’の左側の裏面が破断開口部１２の表面に当接するまで把持部１３が軽い力で引き上げられる。
【００３２】
この状態からさらに把持部１３を引き上げると、突起１９及び左側の押圧部１４’とが支点となってリベット５が上方に押し上げられ、スコア４の第１破断部９が破断される。この状態からさらにタブ６’の把持部１３を引き上げると、切り込み１６の左右端部を結ぶ傾動軸１７を軸にしてタブ６’が傾動される。そして、このタブ６’の動きに応じて、スコア４の第１破断部９から破断位置が第２破断部１０に移動していき、膨出部１１の端部まで到達する。このとき、傾動軸１７は傾きを持っており、さらに破断開口部１２は突起１９によって押圧されるので、スコア４の破断の方向にタブ６’の押圧力が作用するため、スコア４の第２破断部１０は容易に破断される。また、スコア４の破断位置が膨出部１１まで達すると、スコア４が破断される方向が変化するため、その変化時の抵抗によってスコア４の破断に制動力が作用する。
【００３３】
また、膨出部１１に達した破断箇所は、タブ６’のさらなる引き上げ動作により徐々に膨出部１１を進行する。このとき、タブ６’の突起１９によって破断開口部１２が押圧されるので、膨出部１１までタブ６’の押圧力を有効に作用させることができる。また、タブ６’をさらに傾動させると、破断開口部１２の表面にはタブ６’の突起１９ではなく円弧状の押圧部１４’が当接し、破断開口部１２がパネル３の裏面にまで折り返される。このときも、傾動軸１７が傾斜しているため、押圧部１４’が破断開口部１２の折返される方向に押し込まれるため、破断箇所が最終的にスコア４の終端８に到達する。これにより、破断開口部１２の周囲のスコア４がすべて破断されると共に、スコア４の破断により形成される破断開口片がパネル３の裏面に折り込まれる。
【００３４】
尚、上記実施形態及び変形例においては、スコア４に膨出部１１を有するものについて説明したが、これに限らず、従来から知られている通常のスコア４を有する缶蓋に用いてもよい。また、本発明のステイオンタブ式缶蓋は、スコアの形状が幅方向に広いもののみならず幅方向に狭いものについても適用することができる。
【００３５】
また、上記実施形態及び変形例における寸法は、３５０ｍｌ入りの飲料缶を例にして説明したが、これに限らず、上記寸法の比率を保てば缶コーヒー等に多く用いられている２００ｍｌ入りの飲料缶に適用してもよい。また、上記実施形態及び変形例においては、飲料缶の缶蓋を例にして説明したが、これに限らず、内容物が液体である他の缶容器の缶蓋としてもよい。
【図面の簡単な説明】
【００３６】
【図１】本発明の実施形態の一例である缶蓋を飲料缶に用いた状態を示す平面図。
【図２】図１の缶蓋のリベットとスコアとの関係を示す説明的平面図。
【図３】図１の缶蓋に用いられるタブを示す説明的平面図。
【図４】本発明の変形例である缶蓋を示す平面図。
【図５】図４の缶蓋に用いられるタブを裏面から見た説明図。
【図６】図４の缶蓋のタブ先端部を前方から見た説明的一部断面図。
【符号の説明】
【００３７】
１…缶蓋、３…パネル、４…スコア、５…リベット、６…タブ、始端…７、終端…８、１２…破断開口部、１５…固定部、１６…切り込み。
【図１】
2006315705.tif 000003
【図２】
2006315705.tif 000004
【図３】
2006315705.tif 000005
【図４】
2006315705.tif 000006
【図５】
2006315705.tif 000007
【図６】
2006315705.tif 000008